(57)【特許請求の範囲】
【請求項１】
ＧＰＳ衛星からの信号より自身の正確な位置（緯度・経度）を測定するＧＰＳ受信装置と、
前記ＧＰＳ受信装置にて測定、算出された位置を基地局へ送信する算出位置送信手段と、
前記測定した位置の住所に対応した動作内容を少なくとも２種類登録し、記憶する動作設定登録手段と、
前記測定した位置に対応した動作内容を管理する管理センタから、位置情報と、該位置に対応する動作設定情報とを受信する情報受信手段と、
動作設定の自動変更を行うか否かを判別する自動変更可否判別手段と、
前記情報受信手段にて受信した位置情報を確認し、前記位置情報から位置が変更されたか否かを判別する位置変更判別手段と、
起動直後であるか否かを判別する起動直後判別手段と、
前記情報受信手段にて受信した動作設定の情報の有無を判別する動作設定情報有無判別手段と、
現在の動作設定を判別する動作設定判別手段と、
前記自動変更可否判別手段、前記位置変更判別手段、前記起動直後判別手段、前記動作設定情報有無判別手段、または動作設定判別手段の結果に基づいて、動作設定を変更する動作設定変更手段とを備えたこと、
を特徴とする携帯電話機。
【請求項２】
ＧＰＳ衛星からの信号より自身の正確な位置（緯度・経度）を測定するＧＰＳ受信装置と、前記ＧＰＳ受信装置にて測定、算出された位置を基地局へ送信する算出位置送信手段と、前記測定した位置の住所に対応した動作内容を少なくとも２種類登録し、記憶する動作設定登録手段と、前記測定した位置に対応した動作内容を管理する管理センタから、位置情報と、該位置に対応する動作設定情報とを受信する情報受信手段と、動作設定の自動変更を行うか否かを判別する自動変更可否判別手段と、前記情報受信手段にて受信した位置情報を確認し、前記位置情報から位置が変更されたか否かを判別する位置変更判別手段と、起動直後であるか否かを判別する起動直後判別手段と、前記情報受信手段にて受信した動作設定の情報の有無を判別する動作設定情報有無判別手段と、現在の動作設定を判別する動作設定判別手段と、前記自動変更可否判別手段、前記位置変更判別手段、前記起動直後判別手段、前記動作設定情報有無判別手段、または動作設定判別手段の結果に基づいて、動作設定を変更する動作設定変更手段とを具備する携帯電話機と、
前記携帯電話機が測定した前記位置および該位置の住所に対応した動作内容の情報を受信し管理する管理センタと、
前記携帯電話機と前記管理センタとの間の相互情報通信の仲介を行う基地局とを具備すること、
を特徴とする携帯電話機の動作制御システム。
【請求項３】
前記管理センタに、前記携帯電話機の現在の住所に対応した動作設定を、予め登録しておくことを特徴とする請求項２記載の携帯電話機の動作制御システム。
【請求項４】
前記基地局は、前記携帯電話機が所定の一定の時間間隔で前記管理センタに前記住所・動作設定の内容を問い合わせる問い合わせ手段を有すること、を特徴とする請求項２または３に記載の携帯電話機の動作制御システム。
【請求項５】
前記管理センタが、前記携帯電話から通知された位置情報を基に住所を割り出し、該割り出した住所に対応する動作設定を検索し、該検索した動作設定の情報を前記基地局を介して前記携帯電話機に通知すること、を特徴とする請求項２から４の何れか１項に記載の携帯電話機の動作制御システム。
【請求項６】
前記携帯電話機の電源を入れた直後、または受信した住所が直前に受信した住所と異なる場合に、動作設定の変更を行うか否かを選択設定する選択設定部をさらに有すること、を特徴とする請求項５記載の携帯電話機の動作制御システム。
【請求項７】
前記携帯電話機が、前記選択設定を実行後に、前記管理センタまたは該携帯電話機自身に予め登録されている動作設定、または初期設定の通常設定に前記動作設定を変更すること、を特徴とする請求項６記載の携帯電話機の動作制御システム。
【発明の詳細な説明】
【０００１】
【発明の属する技術分野】
本発明は、携帯電話機および携帯電話機の動作制御システムに関し、特に、現在住所に関連した携帯電話機および携帯電話機の動作制御システムに関する。
【０００２】
【従来の技術】
従来、携帯電話機および携帯電話機の動作制御システムは、例えば、所在場所に関連し動作内容を選択する携帯電話機および携帯電話機の動作制御システムとして構成される。
【０００３】
近年、携帯電話機の普及率は急速な伸びを示している。サービスの品質も向上し、サービスが受けられない地域はほぼなくなりつつある。誰でもどこでも携帯電話機を使用できるようになり利便性を増した反面、携帯電話機の発する電波や着信音が周りに及ぼす弊害に対応する処置要求が増してきている。よって、これらの影響を考慮すべき場所や状況に応じて、携帯電話機の電源を切ったり着信音を止めるなどのこまめな行為が求められるようになってきた。
【０００４】
本発明と技術分野の類似する先願発明例として特開平１１−０１８１５９号公報の「ＧＰＳ装置付携帯電話」がある。本先願発明例は、現在位置情報、速度情報、地図情報および環境情報に基づいて、特定環境下での電話機能の発着信の自動制御を行っている。これにより、使用者が自動車を運転している間や、病院などの施設、あるいは美術館といった公共のマナーを考慮すべき施設に居る場合に無条件での着信を制御し、交通事故や施設内の誤動作を防ぐことを図っている。
【０００５】
【発明が解決しようとする課題】
しかしながら、上記従来技術では、携帯電話機の使用者がそのような場所や状況を理解していなかったり、理解していても動作制御を変更するのが面倒だったり変更し忘れたりするなどにより、なかなか適切な設定変更は行われていないのが現状である。また、設定変更を促すアナウンスや掲示はその対象を選ばないため、携帯電話機を使用していない人や適切に設定変更している人に不快感を与えてしまう場合もあるという問題点を伴う。
【０００６】
また従来技術では、携帯電話機の動作設定を変更すべき場所・状況および設定内容のほぼすべてをその使用者に判断させなければならず、またその使用者のみに対し設定変更を要求する適切な手段を持たないという問題点がある。
【０００７】
本発明は、以上のような問題を解決し、動作設定を変更すべき場所・状況下において、適切に変更する携帯電話機および携帯電話機の動作制御システムを提供することを目的とする。
【０００８】
【課題を解決するための手段】
かかる目的を達成するため、請求項１記載の発明は、ＧＰＳ衛星からの信号より自身の正確な位置（緯度・経度）を測定するＧＰＳ受信装置と、前記ＧＰＳ受信装置にて測定、算出された位置を基地局へ送信する算出位置送信手段と、前記測定した位置の住所に対応した動作内容を少なくとも２種類登録し、記憶する動作設定登録手段と、前記測定した位置に対応した動作内容を管理する管理センタから、位置情報と、該位置に対応する動作設定情報とを受信する情報受信手段と、動作設定の自動変更を行うか否かを判別する自動変更可否判別手段と、前記情報受信手段にて受信した位置情報を確認し、前記位置情報から位置が変更されたか否かを判別する位置変更判別手段と、起動直後であるか否かを判別する起動直後判別手段と、前記情報受信手段にて受信した動作設定の情報の有無を判別する動作設定情報有無判別手段と、現在の動作設定を判別する動作設定判別手段と、前記自動変更可否判別手段、前記位置変更判別手段、前記起動直後判別手段、前記動作設定情報有無判別手段、または動作設定判別手段の結果に基づいて、動作設定を変更する動作設定変更手段とを備えたことを特徴としている。
【０００９】
請求項２記載の発明は、ＧＰＳ衛星からの信号より自身の正確な位置（緯度・経度）を測定するＧＰＳ受信装置と、前記ＧＰＳ受信装置にて測定、算出された位置を基地局へ送信する算出位置送信手段と、前記測定した位置の住所に対応した動作内容を少なくとも２種類登録し、記憶する動作設定登録手段と、前記測定した位置に対応した動作内容を管理する管理センタから、位置情報と、該位置に対応する動作設定情報とを受信する情報受信手段と、動作設定の自動変更を行うか否かを判別する自動変更可否判別手段と、前記情報受信手段にて受信した位置情報を確認し、前記位置情報から位置が変更されたか否かを判別する位置変更判別手段と、起動直後であるか否かを判別する起動直後判別手段と、前記情報受信手段にて受信した動作設定の情報の有無を判別する動作設定情報有無判別手段と、現在の動作設定を判別する動作設定判別手段と、前記自動変更可否判別手段、前記位置変更判別手段、前記起動直後判別手段、前記動作設定情報有無判別手段、または動作設定判別手段の結果に基づいて、動作設定を変更する動作設定変更手段とを具備する携帯電話機と、前記携帯電話機が測定した前記位置および該位置の住所に対応した動作内容の情報を受信し管理する管理センタと、前記携帯電話機と前記管理センタとの間の相互情報通信の仲介を行う基地局とを具備することを特徴としている。
【００１０】
また、上記の管理センタに、携帯電話機の現在の住所に対応した動作設定を予め登録しておき、携帯電話機が所定の一定の時間間隔で管理センタに住所・動作設定の内容を問い合わせるための基地局をさらに有し、管理センタが、携帯電話から通知された位置情報を基に住所を割り出し、この割り出した住所に対応する動作設定を検索し、検索した動作設定の情報を基地局を介して携帯電話機に通知するとよい。
【００１１】
さらに、携帯電話機の電源を入れた直後、または受信した住所が直前に受信した住所と異なる場合に、動作設定の変更を行うか否かを選択設定する選択設定部を有し、携帯電話機が、選択設定を実行後に、管理センタまたはこの携帯電話機自身に予め登録されている動作設定、または初期設定の通常設定に動作設定を変更するとよい。
【００１２】
【発明の実施の形態】
次に、添付図面を参照して本発明による携帯電話機および携帯電話機の動作制御システムの実施の形態を詳細に説明する。図１から図４を参照すると、本発明の携帯電話機および携帯電話機の動作制御システムの一実施形態が示されている。
【００１３】
（第１の実施例）
図１を参照すると、本発明の第１の実施例は、携帯電話機１００と基地局２００と管理センタ３００とＧＰＳ衛星４００とから構成されている。
【００１４】
本実施例は、ＧＰＳ（Ｇｌｏｂａｌ  Ｐｏｓｉｔｉｏｎｉｎｇ  Ｓｙｓｔｅｍ／全地球測位システム）を用いて測定した携帯電話機の位置を住所に変換し、その住所に応じて携帯電話機の電源断や着信音停止などの動作内容を半自動的に変更するものである。
【００１５】
携帯電話機１００は、ＧＰＳ受信装置を有しＧＰＳ衛星４００からの信号より自身の正確な位置（緯度・経度）を測定し、基地局２００にその位置情報を通知する。また、基地局２００より住所・動作設定の情報を受信し、直前の住所と比較することにより自身の位置する住所をモニタする。住所の変更を検知すると、移動先住所に対する動作設定が、管理センタ３００に登録（基地局２００より移動先住所とともに受信）されている。または動作設定が既に自身に登録されている場合、その動作設定に従い自身の動作設定を変更する。管理センタ３００にも携帯電話機１００にも動作設定が登録されていない場合は、通常設定１０１に動作設定を変更する。
【００１６】
基地局２００は、管理センタ３００に対し、携帯電話機１００の位置に対する住所および動作設定を問い合わせる。管理センタ３００から住所および動作設定の情報を受信したら、基地局２００は、携帯電話機１００にその情報を携帯電話機１００に送信する。
【００１７】
管理センタ３００は、携帯電話機１００に関する基地局２００からの問い合わせに対し、対応する住所および動作設定を検索し、その結果を基地局２００へ通知する。動作設定が登録されていた場合は住所および動作設定の情報を通知し、登録されていなかった場合は住所の情報のみを通知する。ＧＰＳ衛星４００は、ＧＰＳ用の信号を送信する。
【００１８】
（動作例）
次に、図１から図３を参照して本実施例の動作について詳細に説明する。図１に示した本発明による携帯電話機および携帯電話機の動作制御システムの実施形態は、携帯電話機１００、基地局２００、管理センタ３００、ＧＰＳ衛星４００、の各部により構成される。また、本システムの動作例に関わり、第１の住所１０、第２の住所２０、第３の住所３０等の条件例が登場する。
【００１９】
図１において、携帯電話機１００は、ＧＰＳ衛星４００の信号より自身の正確な位置を測定し、その位置情報を基地局２００へ送信する。基地局２００は、管理センタ３００に対し受信した位置を含む住所とその住所に関連した動作設定が登録されているかを問い合わせる。管理センタ３００は、受信した位置情報を住所に変換し、その住所に対する動作設定を検索する。そして、住所または住所と動作設定の情報を基地局２００へ通知する。
【００２０】
基地局２００は、管理センタ３００からの情報を携帯電話機１００に送信する。携帯電話機１００は、受信した情報に基づき住所の移動を判断し、移動が発生した場合に自身の動作設定を変更する。移動先住所に対する動作設定が受信済または自身に既に登録されていた場合はそれに従い、受信または自身に登録されていない場合は通常設定に戻す。管理センタ３００への動作設定の登録は、登録する住所の所有者などがあらかじめ行う。また、携帯電話機１００への動作設定および通常設定の登録は、その使用者があらかじめ行う。
【００２１】
なお、以下に登場する第１の住所１０、第２の住所２０、第３の住所３０等に関わり、携帯電話機１００は、各住所に応じて動作設定を変更するかどうかの設定機能を持ち、変更するに設定されているものとする。また、第３の住所３０に対する動作設定３１のみが登録されている。管理センタ３００には、第２の住所２０に対する動作設定２１のみが登録されているものとする。
【００２２】
図１において、携帯電話機１００はＧＰＳ衛星４００の信号より自身の正確な位置を測定し、その位置情報を基地局２００へ送信する。基地局２００は、管理センタ３００に対し受信した位置を含む住所とその住所に動作設定が登録されているかを問い合わせる。管理センタ３００は、受信した位置情報を住所に変換し、その住所に対し既に設定されている動作設定を検索する。そして、住所または住所・動作設定を基地局２００へ通知する。
【００２３】
基地局２００は、管理センタ３００からの情報を携帯電話機１００に送信する。携帯電話機１００は、受信した情報に基づき住所の移動を判断し、移動が発生した場合に自身の動作設定を変更する。移動先住所に対する動作設定が受信済みまたは自身に登録されていた場合はそれに従い、受信または自身に登録されていない場合は通常設定に戻す。
【００２４】
ここでいう携帯電話機は、ＧＰＳ受信装置を有する無線による電話機を指し、ＰＨＳ（Ｐｅｒｓｏｎａｌ  Ｈａｎｄｙｐｈｏｎｅ  Ｓｙｓｔｅｍ／簡易型携帯電話システム）を含む。また、動作設定とは、携帯電話機の使用者が設定可能な機能への設定値の組み合わせを指し、管理センタおよび携帯電話機に対し複数登録できる。通常設定とは、携帯電話機の使用者が本システム使用時に住所に対する動作設定が未登録の場合、および本システム未使用の場合に用いられる動作設定であり、携帯電話機に対し１組しか登録できないものとする。
【００２５】
まず、電源投入時の動作について説明する。図１および図２において、携帯電話機１００が第１の住所１０にて電源投入されたとする。携帯電話機１００は、ＧＰＳ衛星４００から信号を受信し（ステップＳ１０１）、ＧＰＳ装置が携帯電話機自身の位置を算出し（ステップＳ１０２）、算出した位置を基地局２００へ送信する（ステップＳ１０３）。この結果、基地局２００は、携帯電話機１００から受信した位置情報を管理センタ３００へ送信する。
【００２６】
管理センタ３００は、受信した位置が第１の住所１０に含まれ、この第１の住所１０に対し何も動作設定が登録されていないことを検出し、第１の住所１０の情報のみを基地局２００へ送信する。
【００２７】
図３において、基地局２００は、受信した情報を携帯電話機１００へ送信する。携帯電話機１００は、基地局２００より第１の住所１０の情報を受信すると（ステップＳ２０１）、この住所に応じて動作設定を変更する設定になっており（ステップＳ２０２／Ｙｅｓ）、移動はしておらず（ステップＳ２０４／ＮＯ）、起動直後であり（ステップＳ２０５／ＹＥＳ）、動作設定を受信していない（ステップＳ２０６／ＮＯ）ため、通常設定１０１に設定される（ステップＳ２０７）。
【００２８】
次に、動作設定が登録されている住所へ移動した時の動作について説明する。携帯電話機１００が第１の住所１０から第２の住所２０へ移動したとする。携帯電話機１００は、上述のように自身の位置を算出し基地局２００経由で管理センタ３００へ送信する。管理センタ３００は、受信した位置が第２の住所２０に含まれ、この第２の住所２０に対し動作設定２１が登録されていることを検出し、第２の住所２０と動作設定２１の情報を基地局２００経由で携帯電話機１００へ送信する。
【００２９】
携帯電話機１００は、基地局２００より第２の住所２０および動作設定２１の情報を受信すると（ステップＳ２０１）、その住所に応じて動作設定を変更する設定になっており（ステップＳ２０２／ＹＥＳ）、かつ移動しており（ステップＳ２０４／ＹＥＳ）、動作設定２１の情報を受信している（ステップＳ２０８／ＹＥＳ）。このため、携帯電話機１００は、動作設定２１に設定される（ステップＳ２１２）。
【００３０】
次に、動作設定が登録されていた住所から登録されていない住所へ移動した時の動作について説明する。携帯電話機１００が、第３の住所３０から第１の住所１０へ移動したとする。携帯電話機１００は、上述のように自身の位置を算出し、基地局２００経由で管理センタ３００へ送信する。管理センタ３００は、受信した位置が第１の住所１０に含まれ、第１の住所１０に対し何も動作設定が登録されていないことを検出し、第１の住所１０のみの情報を基地局２００経由で携帯電話機１００へ送信する。
【００３１】
携帯電話機１００は、基地局２００より第１の住所１０の情報を受信すると（ステップＳ２０１）、この住所に応じて動作設定を変更する設定になっており（ステップＳ２０２／ＹＥＳ）、かつ移動しており（ステップＳ２０４／ＹＥＳ）、動作設定の情報を受信しておらず（ステップＳ２０８／ＮＯ）、自身に第１の住所１０の情報に対する動作設定が登録されておらず（ステップＳ２０９、ステップＳ２１０／ＮＯ）、現在は動作設定３１に設定され通常設定でないため（ステップＳ２１１／ＮＯ）、通常設定に変更設定される（ステップＳ２０７）。
【００３２】
（効果）
第１の効果は、携帯電話機の位置の変化に応じて半自動的に動作設定を変更できる点である。
すなわち、使用者が設定した動作設定の自動変更を行うか否かの設定を、携帯電話機が判定し、判定した結果に従って半自動的に動作設定を変更できることにより、使用者が、携帯電話機の動作を自動変更するように設定しておけば、使用者が動作設定を変更し忘れるのを防ぐことが可能である。また、自動変更するように設定すれば、携帯電話機の動作は、位置が移動する度に該位置に対応した動作を行うので、動作設定変更の煩雑さを取り除くことができ、使い勝手が良くなる。
【００３３】
また、基地局から住所（位置）情報を受信した際に、該位置に対する動作設定の情報を受信したか否かを判別し、動作設定の情報を受信した場合には、受信した情報の動作設定に変更することができる。これにより、携帯電話の停止及び再起動の前後で、或いは、使用者が該位置を離れ、しばらくして該位置に戻ってきた場合など、その前後で、該位置の動作設定の情報がされたとしても、適切な動作変更を行うことが可能である。
例えば、ある時間帯は、携帯電話機の動作を強制的に停止したり、また別の時間帯では通常の動作を行うことが可能である、といった具合に、設定変更を行いたい位置の動作設定情報の変更を容易に行うことが可能となり、これにより、メンテナンスが容易となる。メンテナンスが容易になるということは、動作設定の情報の変更作業が単純になり、変更作業に要するコストが削減できることを意味する。
また、動作設定の情報の変更を容易に行うことができることによる、上記以外の効果として、該位置の携帯電話機の動作設定の変更は、ほぼ、リアルタイムで携帯電話機に反映されるので、携帯電話機の使用者は、時間帯によってこまめに動作設定の変更を行うなどの煩雑さがなくなり、使い勝手が良くなる。
【００３４】
第２の効果は、携帯電話機の動作の他者への影響に無関心である人や携帯電話機の動作を制限すべき場所であることを認識していない人に対し、様々な場所に応じて適切な動作設定をアナウンスや掲示を使わずに知らせることができる点である。
これにより、携帯電話機の動作設定変更をより直接的に促すことが可能となり、動作設定変更を呼びかけるアナウンス（例えば、電車や路線バスにおける乗車マナーアナウンスや、コンサートホール又は映画館等における開演前の鑑賞マナーアナウンス等）や掲示（例えば、テレビ、ラジオ、ポスター等によるマナー広告等）の必要性が薄れるので、アナウンスや掲示を減らす効果がある。
更に、アナウンスや掲示を減らすことによる付随的な効果として、アナウンスや掲示を行うことによるコスト増加を削減する効果が期待できる。
また、携帯電話機の動作設定を正しく行っている使用者に対して、アナウンスや掲示を行うことによって発生する前記使用者が持つ不快感を減少させる効果も期待できる。
【００３５】
（第２の実施例）
次に、本発明の第２の実施例について図１から図４を参照して詳細に説明する。第２の実施例は、上記の第１の実施例において、ステップＳ２１２へ図４に示すサブルーティンを適用して構成される。
【００３６】
本発明の第２の実施例は、動作設定が登録されていない第１の住所１０から動作設定２１が登録されている第２の住所２０へ移動した時に、携帯電話機１００の使用者が動作設定２１への変更を拒否する点で第１の実施例と異なる。したがって、携帯電話機１００は、住所に応じて動作設定を変更する前に使用者に変更するかどうか確認し、この確認において使用者が拒否できる機能を有する。
【００３７】
携帯電話機１００が第１の住所１０から第２の住所２０へ移動すると、携帯電話機１００は、自身の位置を算出し、算出した位置情報を基地局２００経由で管理センタ３００へ送信する。管理センタ３００は、第２の住所２０と動作設定２１の情報を基地局２００経由で携帯電話機１００へ送信する。
【００３８】
携帯電話機１００は、基地局２００より第２の住所２０および動作設定２１の情報を受信すると（ステップＳ２０１）、受信した情報に基づく動作設定２１に設定しようとする（ステップＳ２１２）。
【００３９】
ここで、携帯電話機１００は、住所移動による動作設定変更を使用者に確認する設定となっている（ステップＳ３０１）。このため、着信音やバイブレーション機能などにより、使用者へ動作設定が登録されている住所へ移動したことを知らせる（ステップＳ３０３）。
【００４０】
次に文字や音声などにより、住所２０の動作設定２１へ動作設定を変更するか使用者へ確認する（ステップＳ３０４）。ここで使用者が動作設定変更を拒否する（ステップＳ３０５／ＮＯ）と、携帯電話機１００は動作設定２１への変更を行わない。
【００４１】
なお、上記の動作例においては使用者が動作設定変更を拒否したが（ステップＳ３０５／ＮＯ）、ここにおいて使用者が了解すれば（ステップＳ３０５／ＹＥＳ）、動作設定が変更され（ステップＳ３０２）、結果的に携帯電話機１００は以降、第１の実施例と同一の動作状態となる。
【００４２】
以上のように、第２の実施例によれば、住所に応じて動作設定を変更する設定としている場合でも、変更するかどうかを使用者に確認することができる。この結果、使用者は変更を拒否もできるので、使用者が無条件に登録されている動作設定に従わなければならないという事態の発生を避けられる。
【００４３】
尚、上述の実施形態は本発明の好適な実施の一例である。但し、これに限定されるものではなく、本発明の要旨を逸脱しない範囲内において種々変形実施が可能である。
【００４４】
【発明の効果】
以上の説明より明らかなように、本発明の携帯電話機は、ＧＰＳ衛星からの信号より自身の正確な位置（緯度・経度）を測定し、測定した位置の住所に対応した動作を少なくとも２種類登録し、測定した位置に対応した動作内容を管理する管理センタからこの位置に対応する動作設定の情報を受信する。よって、携帯電話機の位置の変化に応じて半自動的に動作設定を変更でき、使用者が動作設定を変更し忘れるのを防ぎ、さらに動作設定変更の煩雑さを取り除くことができる。
【図面の簡単な説明】
【図１】本発明の携帯電話機の動作制御システムの実施形態を示すシステム構成図である。
【図２】動作例を示す第１のフローチャートである。
【図３】動作例を示す第２のフローチャートである。
【図４】ステップＳ２１２のサブルーティンの構成例を示すフローチャートである。
【符号の説明】
１００  携帯電話機
２００  基地局
３００  管理センタ
４００  ＧＰＳ衛星
【図１】
0003541802.tif 000002
【図２】
0003541802.tif 000003
【図３】
0003541802.tif 000004
【図４】
0003541802.tif 000005